(57)【要約】【課題】  液晶表示部への外的圧力の伝導を防止し、表示にじみ等の発生を防ぐ。同時に、構成部品点数の削減と、組立性の向上を実現する。【解決手段】  透光性部材で形成された液晶表示窓を有する電子機器筐体内に前記液晶表示窓の内壁面に対向させて液晶が取り付けられる表示装置において、前記液晶表示窓を外装筐体のみで保持する。【選択図】  図１
2007121637.tif 000002
【特許請求の範囲】
【請求項１】
透光性部材で形成された液晶（LCD）表示窓を有する電子機器筐体内に前記液晶（LCD）表示窓の内壁面に対向させて液晶（LCDモジュール）が取り付けられる表示装置において、前記液晶（LCD）表示窓を外装筐体のみで保持し、かつ前記外装筐体には前記液晶（LCD）表示窓がはまり込む開口部と液晶（LCD）表示窓を保持する爪形状を有している事を特徴する液晶（LCD）表示窓の保持機構。
【請求項２】
前記液晶（LCD）表示窓と外装筐体の保持部のクリアランスが保持方向に0.2ｍｍ程度取られている事を特徴とする請求項1に記載される保持機構。
【請求項３】
前記液晶（LCD）表示窓と液晶（LCDモジュール）ガラスの面に垂直方向のクリアランスが0.5ｍｍ程度取られている事を特徴とする請求項1に記載される保持機構。
【発明の詳細な説明】
【技術分野】
【０００１】
本発明は、複合機、ファクシミリ、プリンタなどの液晶（LCD）表示窓を有する操作部の電子機器表示装置に関するものである。
【背景技術】
【０００２】
近年、電子機器の液晶表示は見易さ、使い易さの観点から大型化が進んでおり、その結果、表示部に外部から容易に圧力を加える事が出来るようになった。
【０００３】
それに伴い、液晶表示部に表示にじみ等が発生し、液晶表示品位の向上が求められている。
【０００４】
従来、液晶（LCDモジュール）に影響を及ぼす外的圧力は弾性部材の使用や専用部材を作成し液晶（LCDモジュール）ホルダーとし対応していた。
【０００５】
液晶（LCD）表示窓の保持に対しては弾性部材を液晶（LCDモジュール）との間に挟持したものや筐体に接着しているものがある（例えば、特開平04-204822、特開平03-238492参照）。
【０００６】
また、液晶（LCD）表示窓を保持する専用ホルダー部材を有するものがある（例えば、特開平09-218394参照）。
【特許文献１】特開平０４−２０４８２２号公報
【特許文献２】特開平０３−２３８４９２号公報
【特許文献３】特開平０９−２１８３９４号公報
【発明の開示】
【発明が解決しようとする課題】
【０００７】
しかしながら、上記従来例では、液晶（LCD）表示窓と液晶（LCDモジュール）を弾性部材を挟持させ保持しているため以下のような欠点があった。
【０００８】
弾性部材の寸法精度により、液晶（LCDモジュール）に掛かる押圧が不安定となり、液晶（LCDモジュール）表示不良の恐れがある。また、液晶（LCD）表示窓と液晶（LCDモジュール）は弾性部材を介して接していることになり、外的圧力の掛かり方により、液晶（LCDモジュール）表示部に歪みが発生する恐れがある。それと同時に、弾性部材等を用いる事により、構成部品点数の増加、組立作業性悪化、組立工数増加となりコストアップ要因となっていた。
【０００９】
また、筐体へ接着しているものは、分解性、リサイクル、組立性の悪化を引き起こしている。
【００１０】
また、専用のホルダー部品を用いた場合は構成部品点数の増加、組立工数増加となりコストアップ要因となっていた。
【００１１】
本発明の目的は、液晶（LCDモジュール）を有する表示装置の表示品質の安定・向上を提供するものである。また、部品点数を少なくし、低コストの表示装置を提供するものである。
【００１２】
更に、組立性の良い表示装置を提供するものである。
【課題を解決するための手段】
【００１３】
上記目的を達成するために、液晶（LCD）表示窓を有する表示装置において、外装筐体のみで液晶（LCD）表示窓を保持する手段は、液晶（LCD）表示窓の外形を液晶（LCDモジュール）表示部外形よりも大きくすると共に、液晶（LCDモジュール）表示外で外装筐体が液晶（LCD）表示窓を挟持するように形成する。
【００１４】
さらに、液晶（LCD）表示窓と液晶（LCDモジュール）ガラスの面に垂直方向のクリアランスを確保する事で、液晶（LCD）表示窓への外的圧力に対して、液晶（LCDモジュール）表示部が影響を受けないように形成する。
【００１５】
しかも、外装筐体に液晶（LCD）表示窓を引っ掛ける爪形状を有し、組立性を向上させる。
【発明の効果】
【００１６】
上記手段により、液晶（LCDモジュール）表示部への外的圧力の伝導を防止し、構成部品点数の削減を可能にすると共に、組立性を向上する事が可能となる。
【発明を実施するための最良の形態】
【００１７】
次に本発明に係る一実施形態である電子機器表示装置の操作部について説明する。
【００１８】
本発明の実施形に係る電子機器表示装置の操作部について図に従って概略を説明する。
【００１９】
図1は本実施例の操作部の斜視図である。
【００２０】
図2は本実施例の液晶（LCDモジュール）ユニットをチルトアップさせた図。
【００２１】
図3は本実施例の操作部の背面斜視図。
【００２２】
図4及び図5は本実施例の液晶（LCDモジュール）ユニットの分解図。
【００２３】
図6は本実施例の液晶（LCDモジュール）ユニットの上面図。
【００２４】
図7は図6のA-A線に沿った断面図である。
【００２５】
構造として、パネルカバー左8とパネルカバー右9に各キー11がはまっている。尚、モードキー11b、メニューキー11c、スタートキー11dが、それぞれ1つ以上のキーが一体的に構成されており、パネルカバー10の中に取り付けてある。パネル基板15上には図示しないタクトスイッチがキー11の下に半田付けされている。
【００２６】
液晶（LCDモジュール）ユニット1はヒンジ16を中心に回転出来るように構成されており、ユーザーが操作出来るようになっている。また、前記液晶（LCDモジュール）ユニット1の開閉角は最大で水平面に対して、80度程度に設定してある。これらの回転ストッパは図示しない画像読取装置の外装筐体とパネルカバー10の合せ部20で前記外装筐体と外装筐体5がぶつかる事により、この角度を維持している。
【００２７】
前記液晶（LCDモジュール）ユニット1の中には、液晶（LCDモジュール）2が液晶（LCD）表示窓3の内壁面に対向させて外装筐体（液晶ユニット1）内に取り付けられている。
【００２８】
ここで、前記液晶（LCD）表示窓3は透光性樹脂材料で成形されており、その外形は前記液晶（LCDモジュール）表示部外形よりも大きく、その少なくとも1つの周縁部を前記液晶（LCDモジュール）表示外で外装筐体4と外装筐体5とで挟持される。
【００２９】
そうする事で、前記液晶（LCDモジュール）部への外的圧力の影響を及ぼすことなく、表示にじみ等が発生する事はない。
【００３０】
同時に、前記液晶（LCD）表示窓3の少なくとも1つの周縁部と挟持する前記外装筐体4、前記外装筐体5の挟持部には挟持方向に0.2ｍｍ程度のクリアランスαが取られている。
【００３１】
そうする事で、前記液晶（LCD）表示窓3、前記外装筐体4、前記外装筐体5の寸法のばらつきによる組み込み不良を防いでいる。
【００３２】
また、前記外装筐体4で保持された前記液晶（LCDモジュール）2と前記液晶（LCD）表示窓3は液晶（LCDモジュール）ガラスの面に垂直方向のクリアランスβが0.5ｍｍ程度取られている。
【００３３】
そうする事で前記液晶（LCD）表示窓3に及ぼされた外的圧力を前記液晶（LCDモジュール）2に伝えない様にする。
【００３４】
クリアランスαとクリアランスβは、α＜βの関係にある。
【００３５】
また、前記液晶（LCD）表示窓3を前記外装筐体4の爪部6に引っ掛けての組立と、前記外装筐体4の開口部7に前記液晶（LCD）表示窓3を嵌め込む事により、組み込み不良を防ぐと同時に、前記外装筐体4に対する前記液晶（LCD）表示窓3の位置決めが容易に可能となり組立性を向上させることが出来る。
【００３６】
このように、外装筐体で液晶（LCD）表示窓を保持することにより、液晶（LCDモジュール）表示部へ外的圧力の伝導を防止し、構成部品点数の削減を可能にすると共に、組立性を向上する事が可能となる。
【００３７】
尚、本例では前記液晶（LCD）表示窓3の挟持部の形状と前記外装筐体4の挟持部の形状は平面状に形成されているが、これに限定するものではない。
【００３８】
また、前記外装筐体5の挟持部の形状はリブ状に形成されているが、これに限定するものではない。
【００３９】
すなわち、前記液晶（LCD）表示窓3に外的圧力が及んでも、前記液晶（LCDモジュール）2に影響を及ぼさないように、前記液晶（LCD）表示窓3を外装筐体で挟持出来る形状であれば良い。
【図面の簡単な説明】
【００４０】
【図１】本発明の実施例に係る操作部の斜視図。
【図２】本発明の実施例に係る液晶（LCDモジュール）ユニットをチルトアップさせた図。
【図３】本発明の実施例に係る操作部の下面斜視図。
【図４】本発明の実施例に係る液晶（LCDモジュール）ユニットの分解図1。
【図５】本発明の実施例に係る液晶（LCDモジュール）ユニットの分解図2。
【図６】本発明の実施例に係る液晶（LCDモジュール）ユニットの上面図。
【図７】図6のA-A線に沿った断面図。
【符号の説明】
【００４１】
1  液晶（LCD）ユニット
2  液晶（LCDモジュール）
3  液晶（LCD）表示窓
4  外装筐体1
5  外装筐体2
6  爪部
7  開口部
8  パネルカバー左
9  パネルカバー右
10  パネルカバー
11  キー
15  パネル基板
16  ヒンジ
20  合せ部
α  クリアランス1
β  クリアランス2
【図１】
2007121637.tif 000003
【図２】
2007121637.tif 000004
【図３】
2007121637.tif 000005
【図４】
2007121637.tif 000006
【図５】
2007121637.tif 000007
【図６】
2007121637.tif 000008
【図７】
2007121637.tif 000009